(57)【要約】  非接触で給電可能であり、且つ発光領域の割合が高く、さら所望の光量を確保することが可能な発光システムを提供することである。  発光システム１は、有機ＥＬ装置２と固定側壁面７によって構成されている。有機ＥＬ装置２は、基板１０（基材）に、陽極側の電極層１１と有機発光層１２と陰極側の透明電極層１３とが積層され、封止部１４によって封止されたものである。基板１０（基材）の固定側壁面７側の面１０ｂには、平面的な広がりを有する電極（パネル側導電性部材）１５，１６が積層されている。電極１５，１６は、有機発光層１２が設けられた発光領域Ａに重ねて配置されている。固定側壁面７は、平面的な広がりを有する電極（壁側導電性部材）８，９が埋め込まれている。電極８，９間には電源装置３が電気的に接続されている。有機ＥＬ装置２の電極１５，１６と、固定側壁面７の電極８，９とは床材を挟んで対向配置されている。
2013125435.tif 000002
【特許請求の範囲】
【請求項１】
固定側壁面と、有機ＥＬ装置によって構成される発光システムにおいて、
固定側壁面には、壁側導電性部材が設けられており、
有機ＥＬ装置は、平面的な広がりを有する基材に、２層の電極層と、前記電極層に挟まれた有機発光層が積層され、少なくとも一方の平面が発光面となるものであり、発光面と対向する面側であって、有機発光層と重なる領域に平面的な広がりを有するパネル側導電性部材が埋設又は露出し、当該パネル側導電性部材は前記電極層に電気的に接続されており、
前記有機ＥＬ装置は前記固定側壁面に設置され、前記壁側導電性部材に交流電流を通電して有機ＥＬ装置に間接的に給電することを特徴とする発光システム。
【請求項２】
壁側導電性部材は、固定側壁面の内部に埋め込まれていることを特徴とする請求項１に記載の発光システム。
【請求項３】
前記基材と対向する面側にパネル側導電性部材が設けられていることを特徴とする請求項１又は２に記載の発光システム。
【請求項４】
前記基材の有機発光層が積層されていない側にパネル側導電性部材が設けられていることを特徴とする請求項１又は２に記載の発光システム。
【請求項５】
前記２層の電極層の一方がパネル側導電性部材として機能することを特徴とする請求項１乃至４のいずれかに記載の発光システム。
【請求項６】
有機ＥＬ装置は、基材に２層の電極層と有機発光層が積層され、前記基材側と対向する面側が発光面となるトップエミッション型の有機ＥＬ装置であることを特徴とする請求項１乃至５のいずれかに記載の発光システム。
【請求項７】
有機ＥＬ装置は、透明な基材に２層の電極層と有機発光層が積層され、前記基材側が発光面となるボトムエミッション型の有機ＥＬ装置であることを特徴とする１乃至５のいずれかに記載の発光システム。
【請求項８】
前記壁側導電性部材に通電する交流電流は、高圧且つ高周波であることを特徴とする請求項１乃至７のいずれかに記載の発光システム。
【請求項９】
壁側導電性部材よりも大きい受動電極と、高圧高周波発生器とを有し、高圧高周波発生器は前記壁側導電性部材と受動電極とに接続されており、
有機ＥＬ装置にはパネル側導電性部材よりも大きい対向電極があり、当該対向電極はパネル側導電性部材が設けられた位置とは異なる位置に設けられており、有機発光層はパネル側導電性部材と対向電極に電気的に接続されていることを特徴とする請求項１乃至８のいずれかに記載の発光システム。
【請求項１０】
パネル側導電性部材と対向電極の間に高インピーダンス負荷が接続されていることを特徴とする請求項９に記載の発光システム。
【請求項１１】
有機ＥＬ装置の基材に、整流回路を構成する部材又は部位があることを特徴とする請求項１乃至１０のいずれかに記載の発光システム。
【請求項１２】
有機ＥＬ装置は、基材に２層の電極層とＰＮ結合を有する有機発光層が積層されたものであり、基材の面は主発光部とダイオード部に区分され、前記ダイオード部は前記有機発光層のＰＮ結合を利用して一方向にのみ通電を許容するものであり、前記ダイオード部が主発光部に接続されていることを特徴とする請求項１乃至１１のいずれかに記載の発光システム。
【請求項１３】
４か所にダイオード部を有し、前記ダイオード部を含む全波整流回路が形成されていることを特徴とする請求項１２に記載の発光システム。
【請求項１４】
有機ＥＬ装置の基材の中央部に主発光部があり、その周囲にダイオード部が形成されていることを特徴とする請求項１２又は１３に記載の発光システム。
【請求項１５】
有機ＥＬ装置は、少なくとも一方の電極層に、当該電極層を分断して絶縁する電極層分断部が設けられ、
有機発光層には当該有機発光層を分断する有機発光層分断部が設けられ、有機発光層分断部に一方の電極層が進入して２層の電極層を導通する導通部が形成され、
前記ダイオード部は、電極層分断部を境として隣接する二つの領域を、有機発光層の一部と導通部とを経由して導通するダイオード形成部を備えていることを特徴とする請求項１２乃至１４のいずれかに記載の発光システム。
【請求項１６】
交流電流が通電される壁側導電性部材が埋め込まれた固定側壁面に設置される有機ＥＬ装置であって、平面的な広がりを有する基材に、２層の電極層と、前記電極層に挟まれた有機発光層が積層され、少なくとも一方の平面が発光面となるものであり、発光面と対向する面側であって、有機発光層と重なる領域に平面的な広がりを有するパネル側導電性部材が埋設又は露出し、当該パネル側導電性部材は前記電極層に電気的に接続されており、壁側導電性部材から間接的に給電されて有機発光層が発光することを特徴とする有機ＥＬ装置。
【請求項１７】
前記基材と対向する面側にパネル側導電性部材が設けられていることを特徴とする請求項１６に記載の有機ＥＬ装置。
【請求項１８】
前記基材の有機発光層が積層されていない側にパネル側導電性部材が設けられていることを特徴とする請求項１６に記載の有機ＥＬ装置。
【請求項１９】
前記２層の電極層の一方がパネル側導電性部材として機能することを特徴とする請求項１６乃至１８のいずれかに記載の有機ＥＬ装置。
【請求項２０】
有機ＥＬ装置は、基材に２層の電極層と有機発光層が積層され、前記基材側と対向する面側が発光面となるトップエミッション型の有機ＥＬ装置であることを特徴とする請求項１６乃至１９のいずれかに記載の有機ＥＬ装置。
【請求項２１】
有機ＥＬ装置は、透明な基材に２層の電極層と有機発光層が積層され、前記基材側が発光面となるボトムエミッション型の有機ＥＬ装置であることを特徴とする請求項１６乃至１９のいずれかに記載の有機ＥＬ装置。
【請求項２２】
有機ＥＬ装置にはパネル側導電性部材よりも大きい対向電極があり、当該対向電極はパネル側導電性部材が設けられた位置とは異なる位置に設けられており、有機発光層はパネル側導電性部材と対向電極に電気的に接続されていることを特徴とする請求項１６乃至２１のいずれかに記載の有機ＥＬ装置。
【請求項２３】
パネル側導電性部材と対向電極の間に高インピーダンス負荷が接続されていることを特徴とする請求項２２に記載の有機ＥＬ装置。
【請求項２４】
基材に整流回路を構成する部材又は部位があることを特徴とする請求項１６乃至２３のいずれかに記載の有機ＥＬ装置。
【請求項２５】
有機ＥＬ装置は基材に２層の電極層とＰＮ結合を有する有機発光層が積層されたものであり、基材の面は主発光部とダイオード部に区分され、前記ダイオード部は前記有機発光層のＰＮ結合を利用して一方向にのみ通電を許容するものであり、前記ダイオード部が主発光部に接続されていることを特徴とする請求項１６乃至２４のいずれかに記載の有機ＥＬ装置。
【請求項２６】
４か所にダイオード部を有し、前記ダイオード部を含む全波整流回路が形成されていることを特徴とする請求項２５に記載の有機ＥＬ装置。
【請求項２７】
基板の中央部に主発光部があり、その周囲にダイオード部が形成されていることを特徴とする請求項２５又は２６に記載の有機ＥＬ装置。
【請求項２８】
少なくとも一方の電極層に、当該電極層を分断して絶縁する電極層分断部が設けられ、
有機発光層には当該有機発光層を分断する有機発光層分断部が設けられ、有機発光層分断部に一方の電極層が進入して２層の電極層を導通する導通部が形成され、
前記ダイオード部は、電極層分断部を境として隣接する二つの領域を、有機発光層の一部と導通部とを経由して導通するダイオード形成部を備えていることを特徴とする請求項２５乃至２７のいずれかに記載の有機ＥＬ装置。
【発明の詳細な説明】
【技術分野】
【０００１】
本発明は発光システム及び有機ＥＬ装置に関し、さらに詳細には、非接触で給電可能な発光システム及び有機ＥＬ装置に関するものである。
【背景技術】
【０００２】
蛍光灯やＬＥＤを用いた発光装置に代わる発光デバイスとして、有機ＥＬ（Electro Luminescence）装置が注目され、多くの研究がなされている。
有機ＥＬ装置は、ガラス基板や透明樹脂フィルムの基材に、有機化合物等で構成される有機ＥＬ素子を積層したものである。有機ＥＬ素子は、陽極と陰極間に有機発光層を設けた発光素子である。有機発光層は、正孔注入層、正孔輸送層、発光層、電子輸送層、電子注入層等から構成されている。【０００３】
有機ＥＬ素子を構成する有機発光層や各電極層は、真空蒸着装置やＣＶＤ（Chemical Vapor Deposition ；化学気相成長法）装置等で薄膜状に形成される。そのため、有機ＥＬ装置は、液晶表示装置やＬＥＤ照明装置に比べて、格段に薄く、軽い。軽薄な有機ＥＬ装置は、例えば、天井や壁面に貼付することも容易であり、自由度の高い発光デバイスとして様々な使い方が考えられる。しかし、有機ＥＬ装置に電源を供給するための配線は、天井や壁面に埋設されていることが多く、配線の位置によって有機ＥＬ装置の設置場所が制限されてしまう。特許文献１には、平板型の表示パネルへ非接触で交流電力を供給可能な電力伝送回路が記載されている。【０００４】
特許文献１に開示された電力伝送回路では、交流電力を送信する側の送信基板と、表示パネルを備えた受信基板が用いられている。送信基板と受信基板のそれぞれの基板の表面には、面状電極が二つずつ設けられている。送信基板と受信基板の各面状電極同士は、絶縁基板を挟んで対向配置することで、各面状電極間に静電容量が生じる。静電容量は、コンデンサであり、送信基板と受信基板とはコンデンサを介して電気的に接続されていると言える（以下、静電結合方法と称する）。その結果、配線等で接続していないにも関わらず、送信基板から受信基板へ交流電力を供給することができる。
その他、特許文献２，３には、別の静電結合方法で電力を供給可能な電気エネルギー搬送装置が開示されている。
【先行技術文献】
【特許文献】
【０００５】
【特許文献１】特開２００９−１６９３２７号公報
【特許文献２】特表２００９−５３１００９号公報
【特許文献３】特表２０１０−５３７６１３号公報
【発明の概要】
【発明が解決しようとする課題】
【０００６】
ところで特許文献１に記載された電力伝送回路では、表示パネルと面状電極とは同一平面上にあり、重ならない。特許文献１に記載された電力伝送回路では、受信基板に設けられた面状電極は、平面的に見て、表示パネルを間に挟んだ位置に設けられている。即ち受信基板を平面視したとき、表示パネルが設けられた領域と、面状電極が設けられた領域は別々であり、表示パネルと面状電極とが重なる領域は無い。【０００７】
そのため特許文献１に記載された電力伝送回路を採用すると、基板表面に発光しない領域ができてしまう。即ち基板表面の相当割合の面積は、発光に寄与しない。
また発光する領域の割合を増大させると、面状電極が小さくなり、受電面積が減少して必要な電力の送電を受けることができない。そのため発光領域の面積は増大するものの、光量が不足する事態となる。【０００８】
上記した現状に鑑み、本発明は、非接触で給電可能であり、且つ発光領域の割合が高く、さら所望の光量を確保することが可能な発光システムの提供を目的とする。
また同様の課題を解決することができる有機ＥＬ装置の提供を目的とする。
【課題を解決するための手段】
【０００９】
上記課題を解決するための発明は、固定側壁面と、有機ＥＬ装置によって構成される発光システムにおいて、固定側壁面には、壁側導電性部材が設けられており、有機ＥＬ装置は、平面的な広がりを有する基材に、２層の電極層と、前記電極層に挟まれた有機発光層が積層され、少なくとも一方の平面が発光面となるものであり、発光面と対向する面側であって、有機発光層と重なる領域に平面的な広がりを有するパネル側導電性部材が埋設又は露出し、当該パネル側導電性部材は前記電極層に電気的に接続されており、前記有機ＥＬ装置は前記固定側壁面に設置され、前記壁側導電性部材に交流電流を通電して有機ＥＬ装置に間接的に給電することを特徴とする発光システムである。【００１０】
また壁側導電性部材は、固定側壁面の内部に埋め込まれていることが望ましい。【００１１】
固定側壁面は、具体的には、天井、部屋の内壁、床面、カウンター面、机上面等である。固定側壁面は、建屋の一部や家具の一部であり、通常の使用状態においては移動することの無い部材である。
本発明の発光システムでは、特徴的な構成を有する有機ＥＬ装置を採用している。即ち本発明が採用する有機ＥＬ装置は、パネル側導電性部材を有している。そしてパネル側導電性部材は、有機発光層に給電する電極層と電気的に接続されている。
一方、有機ＥＬ装置が設置される側（固定側壁面）には、壁側導電性部材が設けられている。また好ましくは壁側導電性部材は、固定側壁面に埋め込まれている。そして壁側導電性部材に交流電流を通電すると、壁側導電性部材とパネル側導電性部材との間で、電子が移動し、有機ＥＬ装置に間接的に給電される。
また本発明が採用する有機ＥＬ装置では、前記したパネル側導電性部材が、有機発光層と重なる領域に平面的な広がりをもって配されている。
そのため本発明が採用する有機ＥＬ装置では、パネル側導電性部材が占める領域が広く、固定側壁面から十分な量の電力供給を受けることができる。また本発明が採用する有機ＥＬ装置は、発光領域が占める面積割合も高い。
そのため本発明の発光システムによると、より広い面積をより明るく発光させることができる。【００１２】
また上記した発光システムに採用することが推奨される有機ＥＬ装置の発明は、交流電流が通電される壁側導電性部材が埋め込まれた固定側壁面に設置される有機ＥＬ装置であって、平面的な広がりを有する基材に、２層の電極層と、前記電極層に挟まれた有機発光層が積層され、少なくとも一方の平面が発光面となるものであり、発光面と対向する面側であって、有機発光層と重なる領域に平面的な広がりを有するパネル側導電性部材が埋設又は露出し、当該パネル側導電性部材は前記電極層に電気的に接続されており、壁側導電性部材から間接的に給電されて有機発光層が発光することを特徴とする有機ＥＬ装置である。【００１３】
本発明の有機ＥＬ装置は、前述と同様に、非接触で給電でき、且つ所望する電力量を得ることができる。また本発明の有機ＥＬ装置は、発光に寄与する面積の割合が高く、明るい。【００１４】
上記した発光システムで使用する有機ＥＬ装置は、基材と対向する面側にパネル側導電性部材が設けられた構成のものを採用することが推奨される。【００１５】
もちろん前記基材の有機発光層が積層されていない側にパネル側導電性部材が設けられた構造の有機ＥＬ装置を利用することもできる。【００１６】
有機ＥＬ装置は、２層の電極層の一方がパネル側導電性部材として機能するものであってもよい。【００１７】
本有機ＥＬ装置を採用した、本発明の発光システムでは、有機発光層に給電する電極層をパネル側導電性部材として利用する。
即ち有機ＥＬ装置は、２層の電極層を有し、この２層の電極層に挟まれた位置に有機発光層がある。そして２層の電極層から有機発光層に電力を供給している。
本発明の発光システムでは、有機発光層に給電する電極層をパネル側導電性部材として利用するから、パネル側導電性部材として別途の部材を設ける必要がない。【００１８】
有機ＥＬ装置は、基材に２層の電極層と有機発光層が積層され、前記基材側と対向する面側が発光面となるトップエミッション型の有機ＥＬ装置であってもよい。【００１９】
また有機ＥＬ装置は、透明な基材に２層の電極層と有機発光層が積層され、前記基材側が発光面となるボトムエミッション型の有機ＥＬ装置であってもよい。【００２０】
前記固定壁側導電性部材に通電する交流電流は、高圧且つ高周波であることが望ましい。【００２１】
また壁側導電性部材よりも大きい受動電極と、高圧高周波発生器とを有し、高圧高周波発生器は前記壁側導電性部材と受動電極とに接続されており、有機ＥＬ装置にはパネル側導電性部材よりも大きい対向電極があり、当該対向電極はパネル側導電性部材が設けられた位置とは異なる位置に設けられており、有機発光層はパネル側導電性部材と対向電極に電気的に接続された発光システム採用することもできる。【００２２】
上記した構成で採用される有機ＥＬ装置は、パネル側導電性部材よりも大きい対向電極があり、当該対向電極はパネル側導電性部材が設けられた位置とは異なる位置に設けられており、有機発光層はパネル側導電性部材と対向電極に電気的に接続されている。【００２３】
さらにパネル側導電性部材と対向電極の間に高インピーダンス負荷が接続されていてもよい。【００２４】
有機ＥＬ装置の基材に、整流回路を構成する部材又は部位があることが推奨される。【００２５】
有機ＥＬ装置は、基材に２層の電極層とＰＮ結合を有する有機発光層が積層されたものであり、基材の面は主発光部とダイオード部に区分され、前記ダイオード部は前記有機発光層のＰＮ結合を利用して一方向にのみ通電を許容するものであり、前記ダイオード部が主発光部に接続されたものであることが推奨される。【００２６】
また有機ＥＬ装置は、４か所にダイオード部を有し、前記ダイオード部を含む全波整流回路が形成されていることが望ましい。【００２７】
有機ＥＬ装置の基材の中央部に主発光部があり、その周囲にダイオード部が形成されていることが望ましい。【００２８】
より具体的な有機ＥＬ装置の構造は、少なくとも一方の電極層に、当該電極層を分断して絶縁する電極層分断部が設けられ、有機発光層には当該有機発光層を分断する有機発光層分断部が設けられ、有機発光層分断部に一方の電極層が進入して２層の電極層を導通する導通部が形成され、前記ダイオード部は、電極層分断部を境として隣接する二つの領域を、有機発光層の一部と導通部とを経由して導通するダイオード形成部を備えていることを特徴とする。
【発明の効果】
【００２９】
本発明の発光システム及び有機ＥＬ装置によれば、非接触で給電でき、且つ所望する電力量を得ることができる。また本発明の有機ＥＬ装置は、発光に寄与する面積の割合が高く、明るい。
【図面の簡単な説明】
【００３０】
【図１】本発明の第１実施形態に係る発光システムの概念図であり、有機ＥＬ装置と、固定側壁面を示す断面斜視図である。
【図２】図１の有機ＥＬ装置の詳細な層構成を示す断面図である。
【図３】図１の有機ＥＬ装置の底面図である。
【図４】図１の発光システムを示す電気回路図である。
【図５】図１の発光システムの動作状態を示す断面図である。
【図６】有機ＥＬ装置に全波整流回路と定電圧回路が接続された状態を示す平面概略図である。
【図７】図１の発光システムにおいて、電源供給装置上で有機ＥＬ装置を移動させた状態を示す斜視図である。
【図８】本発明の第２実施形態に係る発光システムに用いる有機ＥＬ装置を示す断面図である。
【図９】図１０の有機ＥＬ装置の平面図である。
【図１０】第２実施形態に係る発光システムの動作状態を示す断面図である。
【図１１】図１０の有機ＥＬ装置に全波整流回路が接続された状態を示す断面概略図である。
【図１２】全波整流回路を有機ＥＬ装置の周囲に配置した状態を示す平面図である。
【図１３】有機発光層で形成した全波整流回路を有機ＥＬ装置に隣接させた状態を示す断面図であり、（ａ）は各領域を示す説明図であり、（ｂ）は（ａ）の電流の流れを表す説明図である。
【図１４】有機発光層で形成した全波整流回路を有機ＥＬ装置に隣接させた状態を示す断面図であり、（ａ）は各領域を示す説明図であり、（ｂ）は（ａ）の電流の流れを表す説明図である。
【図１５】特許文献２に開示された電気エネルギー搬送装置の作動原理図である。
【図１６】第３実施形態に係る発光システムの概念図であり、有機ＥＬ装置と、電源供給装置を示す断面図である。
【図１７】第４実施形態に係る発光システムの概念図であり、有機ＥＬ装置と、電源供給装置を示す断面図である。
【図１８】第５実施形態に係る発光システムの概念図であり、有機ＥＬ装置と、電源供給装置を示す断面図である。
【図１９】第６実施形態に係る発光システムの概念図であり、有機ＥＬ装置と、電源供給装置を示す断面図である。
【図２０】図１３の有機ＥＬ装置に半波整流回路が接続された状態を示す断面概略図である。
【図２１】有機発光層で形成した半波整流回路を有機ＥＬ装置に隣接させた状態を示す断面図である。
【発明を実施するための形態】
【００３１】
以下、本発明の発光システム及び有機ＥＬ装置の実施形態について、図面を参照しながら詳細に説明する。なお、以下の説明は、実施形態の理解を容易にするためのものであり、これによって、本発明が制限して理解されるべきではない。
また各図は、発明の理解を容易にするため、各層の厚さを誇張して描いている。
【００３２】
本発明の第１実施形態に係る発光システム１は、図１に示すように、発光デバイスである有機ＥＬ装置２と、有機ＥＬ装置２に交流電源を供給する固定側壁面７によって構成されている。
【００３３】
有機ＥＬ装置２は、平面的な広がりを有する基板１０（基材）の一方の面（図では上面）１０ａに、有機ＥＬ素子１１０（図２参照）が設けられたものである。即ち有機ＥＬ装置２は、基板１０（基材）に、陰極（カソード）側の電極層１１と、機能層とも呼ばれる有機発光層１２と、陽極（アノード）側の透明電極層１３とが積層され、これらが透明の封止部１４によって封止されたものである。有機ＥＬ装置２は、電極層１１と透明電極層１３との間に電圧を印加することで、有機発光層１２を発光させ、透明電極層１３から光を取り出すものである。有機ＥＬ装置２は、トップエミッション型と称される構成であり、図１を基準として上面（基板１０側と対向する面側）４が発光面となる。
【００３４】
ここで、有機発光層１２は、複数の有機化合物の薄膜が積層されたものである。有機発光層１２の詳細な層構成は、図２の通りであり、正孔注入層１０１、正孔輸送層１０２、発光層１０３、電子輸送層１０４、電子注入層１０５を有している。
【００３５】
また本実施形態の有機ＥＬ装置２に特有の構成として、基板１０（基材）の他方の面に、電極（パネル側導電性部材）１５，１６が設けられている。
即ち図１，２，３に示すように、基板１０（基材）の固定側壁面７側の面（図では下面）１０ｂには、平面的な広がりを有する電極（パネル側導電性部材）１５，１６が積層されている。電極１５，１６は、有機ＥＬ装置２の下面（基材側）５に位置するものであり、有機発光層１２が設けられた発光領域Ａに、重ねて配置されている。即ち有機ＥＬ装置２を図３の様に裏面側から観察すると、電極（パネル側導電性部材）１５，１６と有機発光層１２が設けられた発光領域Ａが重なっている。
そのため電極１５，１６は、それぞれ基板１０の裏面１０ｂ上に大きな面積を確保しており、両者で裏面１０ｂ上の面積を略二分している。電極１５，１６同士の間には隙間６７が設けられており、両者は電気的に絶縁されている。
【００３６】
固定側壁面７は、天井、壁又は床面６となるものであり、内部には図１の様に平面的な広がりを有する電極（壁側導電性部材）８，９が埋め込まれている。電極８，９同士の間は、電気的に絶縁されている。
電極８，９間には電源装置３が電気的に接続されている。電源装置３は、交流電流（交流電力）を発生可能なものであり、電極８，９間に電圧を印加して電流を供給するものである。
【００３７】
ここで、本発明の第１実施形態に係る発光システム１の電気回路について、図４を用いて説明する。
図４に示すように、発光システム１において、有機ＥＬ装置２と固定側壁面７とは、静電容量Ｃ１，Ｃ２によって接続されている。静電容量Ｃ１は、有機ＥＬ装置２の電極１５と固定側壁面７の電極８とで構成され、静電容量Ｃ２は、有機ＥＬ装置２の電極１６と固定側壁面７の電極９とで構成されている。
【００３８】
有機ＥＬ装置２には、全波整流回路９０と定電圧回路１００が設けられている。全波整流回路９０は、ダイオード１７〜２０を有している。全波整流回路９０は、より詳細にはブリッジ整流回路である。
ダイオード１７は、電極１５と有機ＥＬ素子１１０のアノードたる透明電極層１３間に接続されており、ダイオード１８は、電極１５と有機ＥＬ素子１１０のカソードたる電極層１１間に接続されている。即ちダイオード１７は、カソード側が透明電極層１３に接続されており、ダイオード１８は、アノード側が電極層１１に接続されている。
【００３９】
また、ダイオード１９は、電極１６と有機ＥＬ素子１１０のカソードたる電極層１１間に接続されており、ダイオード２０は、電極１６と有機ＥＬ素子１１０のアノードたる透明電極層１３間に接続されている。即ちダイオード１９は、アノード側が電極層１１に接続されており、ダイオード２０は、カソード側が透明電極層１３に接続されている。
全波整流回路９０は、固定側壁面７から電極１５，１６に供給される交流電流を整流して、陽極（アノード）側の透明電極層１３から陰極（カソード）側の電極層１１へと一定方向にしか流さないものである。
【００４０】
また、本実施形態で採用する定電圧回路１００は、シャント方式の定電圧回路である。この回路は、直列抵抗Ｒ１（例えば、１ｋΩ）と、出力電圧を決定するダイオードＤ、およびコンデンサＣ（例えば、１μＦ）で構成される。本実施形態では、直列抵抗Ｒ１と、有機ＥＬ素子１１０の内部抵抗Ｒ２との間が分岐されてダイオードＤが接続された回路であり、シャント方式レギュレータ回路を構成している。
【００４１】
このシャント方式レギュレータ回路の特徴は、電圧を安定化させるために、明示的なフィードバックループ、作動増幅回路を持たないことである。その長所は、回路規模を非常に小さくでき、作動増幅回路の構成が困難な回路素子（例えば、有機ＥＬ装置２上の薄膜素子）でも実現できることである。一方、その短所は、負荷の消費電力が大きい場合に定電圧回路自体での電力損失が大きくなり、結果として出力電圧の安定化が困難になることである。但し、本実施形態のように照明用の有機ＥＬ装置２であって、面積が大きく消費電力が大きい場合は、作動増幅回路を含むチップ形状の半導体素子を、有機ＥＬ装置２に実装することで定電圧回路１００を構成することが好ましい。
【００４２】
つぎに、本発明の第１実施形態に係る発光システム１の動作状態について、図５を用いて説明する。
図５に示すように、有機ＥＬ装置２は、固定側壁面７上に載置される。この状態において、有機ＥＬ装置２に属する電極１５，１６は、それぞれ固定側壁面７に埋設されている電極８，９と所定の間隔をあけて対峙している。電極１５と電極８、及び電極１６と電極９は、図示を省略した床材を挟んで対向配置されており、各電極間に静電容量が生じている。
【００４３】
つまり、電極１５，１６を有する有機ＥＬ装置２と、電極８，９に接続された電源装置３とは、静電結合方法によって電気的に接続されている。その結果、電源装置３から供給した交流電流が有機ＥＬ素子１１０のアノードたる透明電極層１３からカソードたる電極層１１へと流れ、有機発光層１２が発光する。そして有機ＥＬ装置２の上面４から光が発せられる。
【００４４】
ここで各電極同士の位置関係について説明する。
有機ＥＬ装置２に設けられた一方の電極１５は、図５に示すように、床材の一部を挟んで固定側壁面７内の電極８に対向配置されている。図５においては、有機ＥＬ装置２側の電極１５の大部分は、固定側壁面７内の電極８と重なる位置にある。同じく、有機ＥＬ装置２に設けられた他方の電極１６の大部分も、固定側壁面７内の電極９と重なる位置にある。前述の通り、有機ＥＬ装置２側の電極１５，１６は、それぞれ基板１０の裏面１０ｂ上に大きな面積を確保しており、両者で裏面１０ｂ上の面積を略二分している。つまり、有機ＥＬ装置２側の電極１５，１６の大部分は、それぞれ固定側壁面７内の電極８，９と重なっており、電源装置３から所望する電力量を得ることができる。そのため、有機ＥＬ装置２は、十分な輝度や光量を確保することができる。
【００４５】
図６は、有機ＥＬ装置２を平面視した概略図であり、図４に示した全波整流回路９０と定電圧回路１００が実装された状態を示している。なお、有機ＥＬ装置２では、基板１０の表面１０ａに全波整流回路９０および定電圧回路１００が実装された後、表面１０ａの全面が封止部１４（図５参照）により封止されている。
【００４６】
図６に示す回路図の電子素子は、いずれも通常の独立した電子部品である。即ち有機ＥＬ装置２では、基板１０上にダイオード１７〜２０、抵抗Ｒ１、ダイオードＤ、およびコンデンサＣが載置され、基板１０上でこれらが結線されて全波整流回路９０および定電圧回路１００が形成されている。
図６は、有機ＥＬ装置２の基材（基板１０）に、全波整流回路９０を構成する部材が設けられた例を示すものである。
【００４７】
そして図６の様に、全波整流回路９０は、スルーホール１５Ｈ、１６Ｈを介して電極１５、１６に接続されている。ここでスルーホール１５Ｈ，１６Ｈは、それぞれ電極１５，１６に接続されている箔状の導体であり、基板１０に設けられた孔の内側に形成されている。
また全波整流回路９０は、コンタクト部１１Ｃで有機ＥＬ素子１１０のカソードたる電極層１１間に接続されている。ここでコンタクト部１１Ｃは、有機ＥＬ素子１１０のカソードたる電極層１１に設けられた接点である。また、全波整流回路９０の一部は、定電圧回路１００を構成する直列抵抗Ｒ１を介してコンタクト部１３Ｃに接続されている。コンタクト部１３Ｃは、有機ＥＬ素子１１０のアノードたる透明電極層１３に設けられた接点である。
【００４８】
一方、定電圧回路１００を構成するコンデンサＣと直列ダイオードＤは、コンタクト部１１Ｃを介して有機ＥＬ素子１１０のカソードたる電極層１１と接続されており、コンタクト部１３Ｃを介してアノードたる透明電極層１３に接続されている。（正確には、コンデンサＣと直列ダイオードＤは、電極層１１を経由して間接的に透明電極層１３と接続されている。）
即ち、前記した図４に示した全波整流回路９０と定電圧回路１００が図６の様に基板１０の一方の面に構築され、有機ＥＬ素子１１０側のカソードたる電極層１１とアノードたる透明電極層１３と接続されている。また全波整流回路９０と定電圧回路１００は、基板１０の他方の面に設けられた電極（パネル側導電性部材）１５，１６にも接続されている。
そのため、有機ＥＬ装置２において、電極１５，１６に印加される電力は、スルーホール１５Ｈ，１６Ｈを通り、全波整流回路９０のダイオード１７〜２０と定電圧回路１００を介して、透明電極層１３〜電極層１１間に加えられる。
【００４９】
なお、有機ＥＬ装置２において全波整流回路９０や定電圧回路１００は、信頼性の向上と外観上の観点から、スルーホールを用いることや、実装後に全面を封止することが好ましいが、本発明はこれに限定されるわけではない。例えば、全波整流回路９０および定電圧回路１００は、基板１０の裏面１０ｂや基板１０の外周に実装しても良く、或いは、封止後の有機ＥＬ装置２に実装しても構わない。
【００５０】
また、有機ＥＬ装置２は、固定側壁面７と当接しているだけであり、物理的には接続されていないにも関わらず、電源装置３から間接的に給電されて発光する。そのため、図７に示すように、有機ＥＬ装置２は、発光させたまま、固定側壁面７上を移動させることができる。ただし、有機ＥＬ装置２と固定側壁面７との間には、静電容量が必須であるため、有機ＥＬ装置２に属する電極１５，１６と、固定側壁面７に埋設された電極８，９とは、１対１で対向配置されている必要がある。そのため、有機ＥＬ装置２は、固定側壁面７の長手方向ｘにおいては位置の自由度は高い。しかし、短手方向ｙにおいては、位置の自由度には制限が生じる。
【００５１】
上記の第１実施形態に係る発光システム１では、トップエミッション型の有機ＥＬ装置２を用いたが、本発明はこれに限定されるものではない。
図８，９，１０に示す第２実施形態に係る発光システム２１では、ボトムエミッション型の有機ＥＬ装置２２に本発明を適用している。なお、第１実施形態に係る発光システム１で用いたものと同一の構成については、同符号とし、説明を省略する。
【００５２】
有機ＥＬ装置２２は、図８に示すように、平面的な広がりを有するガラス基板２３（基材）の一方の面２３ａに、陽極（アノード）側の透明電極層２４と、機能層とも呼ばれる有機発光層２５と、陰極（カソード）側の電極層２６とが積層され、これらが封止部２７によって封止されたものである。なお図８において矢印は、電流の流れを示している。有機ＥＬ装置２２について簡単に説明すると、透明電極層２４と電極層２６との間に電圧を印加することで、有機発光層２５を発光させ、透明電極層２４を介してガラス基板２３から光を取り出すものである。つまり、有機ＥＬ装置２２は、ボトムエミッション型と称される構成であり、図面の下面（基材側）３１が発光面となる。
【００５３】
図８，９に示すように、有機ＥＬ素子１１０のカソードたる電極層２６の上には、電極層２６と隙間をあけて電極（パネル側導電性部材）２８，２９が積層されている。電極２８，２９は、有機ＥＬ装置２２のガラス基板２３と対向する面側３０に位置するものであり、有機発光層２５と重なる領域Ｂに、重ねて配置されている。
【００５４】
電極２８，２９は、それぞれガラス基板２３の面２３ａ上に大きな面積を確保しており、両者で表面２３ａ上の面積を略二分している。電極２８，２９同士の間には隙間が設けられており、両者は電気的に絶縁されている。図９においては、説明の都合上、電極２８，２９を封止部２７から露出させた状態で描写している。なお、電極２８，２９は、単なる電極ではなく、封止部材や均熱部材としての機能も有している。
【００５５】
また、図１１の断面概略図に示す通り、有機ＥＬ装置２２は、前述の有機ＥＬ装置２と同様に、ダイオード１７〜２０から成る全波整流回路９０を有している。有機ＥＬ装置２２においても、固定側壁面７から供給される交流電流を整流して使用する。
なお、全波整流回路９０を構成するダイオード１７〜２０は、有機発光層２５を整流素子として用いて形成することができる。
即ち有機ＥＬ素子１１０を構成する有機発光層１２は、ＰＮ結合を有するものであり、整流作用を持つ。より具体的等は、有機発光層１２は、アノードたる透明電極層２４からカソードたる電極層２６に向かってのみ電流を流す。そこで有機発光層１２の整流作用を利用して全波整流回路９０を構築することもできる。
前記した全波整流回路９０は、有機ＥＬ素子１１０の縁の部分を利用して形成することが望ましい。
【００５６】
図１２は、有機ＥＬ素子１１０の縁の部分を利用して全波整流回路９０を形成した場合のレイアウトを示している。
図１２に示す有機ＥＬ装置２２では、基板１０の中央部に主発光部たる発光領域Ｚがあり、その周囲にダイオード１７を構成する領域Ｖ、ダイオード１９を構成する領域Ｘ、ダイオード１８を構成する領域Ｗ、ダイオード２０を構成する領域Ｙが取り巻いている。
【００５７】
図１２に示す有機ＥＬ装置２２では、有機ＥＬ装置の基材の中央部に主発光部たる発光領域Ｚがあり、その周囲にダイオード部たる領域Ｖ，Ｘ，Ｗ，Ｙが形成されている。
【００５８】
図１３は、図１２に示される基板１０のＡ−Ａ断面図の縁の部位の拡大断面図であり、（ａ）は、各層の積層状態を示し、（ｂ）は、導体部分、半導体部分、及び絶縁体部分を塗り分けるとともに電流の流れを図示したものである。
図１３に示す有機ＥＬ装置２２は、前記した様に、ガラス基板２３（基材）の一方の面２３ａに、陽極（アノード）側の透明電極層２４と、整流作用のある有機発光層２５と、陰極（カソード）側の電極層２６とが積層され、これらが封止部２７によって封止されたものである。そして封止部２７の上に電極（パネル側導電性部材）２８，２９が積層されている。
なお、電極２８，２９は、共に略「Ｌ」字状に面状に広がった電極である。具体的には、電極２８は、領域Ｖ及び領域Ｙに跨がって積層されており、電極２９は、領域Ｘ及び領域Ｗに跨がって積層されている。
【００５９】
また図１３に示す有機ＥＬ装置２２では、各層に複数の溝が設けられ、各層が分断されたり、上下の層が当該溝を介して接続されたりしている。
即ち図１３に示す有機ＥＬ装置２２では、透明電極層２４に図面左側から第１溝１２０と第２溝１２１が設けられ透明電極層２４が第１エリア１２２、第２エリア１２３、第３エリア１２４に分断されている。
透明電極層２４に設けられた第１溝１２０、第２溝１２１は、透明電極層２４を分断して絶縁するものであり、電極層分断部に相当する。
【００６０】
また有機発光層２５とカソードたる電極層２６とを連通する連通溝１３０，１３１，１３２，１３３が４条設けられている。
連通溝１３０，１３１，１３２，１３３には、絶縁体たる封止部２７が進入している。そのため有機発光層２５とカソードたる電極層２６は、第１エリア１３５、第２エリア１３６、第３エリア１３７、第４エリア１３８、第５エリア１３９に分割されている。
連通溝１３０，１３１，１３２，１３３は、カソードたる電極層２６を分断して絶縁するものであり、電極層分断部に相当する。
【００６１】
さらに、有機発光層２５には、別途、第１溝１４０、第２溝１４１、第３溝１４２、第４溝１４３が形成されている。そして図面上層側のカソードたる電極層２６が前記溝１４０，１４１，１４２，１４３に進入し、有機発光層２５をスルーして電極層２６と透明電極層２４とが導通している。
そのため有機発光層２５は、第１エリア１５０、第２エリア１５１、第３エリア１５２、第４エリア１５３、第５エリア１５４に分割されている。
なお有機発光層２５に設けられた第１溝１４０、第２溝１４１、第３溝１４２、第４溝１４３は、有機発光層２５を分断する有機発光層分断部に相当し、有機発光層分断部に一方の電極層２６が進入しており、第１溝１４０、第２溝１４１、第３溝１４２、第４溝１４３内の電極層２６によって、電極層２６と透明電極層２４を導通する導通部が形成されている。
【００６２】
図１３に示す有機ＥＬ装置２２では、電極（パネル側導電性部材）２８，２９、透明電極層２４及び電極層２６が導体である。また封止部２７は絶縁体である。そして有機発光層２５はＰＮ結合を有するものであって半導体であり、整流作用がある。
ここで有機ＥＬ装置２２の両端部に注目し、当該領域の導体、絶縁体、半導体の分布をハッチングで塗り分けると図１３（ｂ）の様である。
即ち電極（パネル側導電性部材）２８は、図面の左端部で下層のカソードたる電極層２６の第１エリア１３５と導通し、さらに第１溝１４０を介してさらに下層にある透明電極層２４の第１エリア１２２に導通している。
そのため電極（パネル側導電性部材）２８は、導体で透明電極層２４の第１エリア１２２と導通している。
そして透明電極層２４の第１エリア１２２の上層には、半導体層たる有機発光層２５の第２エリア１５１があり、さらにその上層には電極層２６の第２エリア１３６がある。即ち導体たる透明電極層２４の第１エリア１２２と、導体たる電極層２６の第２エリア１３６は、半導体たる有機発光層２５の第２エリア１５１を挟んで対峙している。
また有機発光層２５の第２エリア１５１は、透明電極層２４側から電極層２６側に向かってのみ通電する半導体である。
【００６３】
そして電極層２６の第２エリア１３６は、さらに有機発光層２５の第２溝１４１を介して，透明電極層２４の第２エリア１２３と導通し、発光領域Ｚに導通している。
従って、本実施形態では、電極（パネル側導電性部材）２８から発光領域Ｚの透明電極層２４（第２エリア１２３）に到る前に、半導体層（有機発光層２５の第２エリア１５１）を挟み、且つ半導体層（有機発光層２５の第２エリア１５１）は、電極（パネル側導電性部材）２８から発光領域Ｚの透明電極層２４（第２エリア１２３）に向かう方向にのみ通電を許す。
従って、有機発光層２５の第２エリア１５１は、前記した図１１のダイオード１７と同一の機能を果たす。
【００６４】
同様に、図１３の右端部側に注目すると、電極（パネル側導電性部材）２９は、図面の右端部で下層のカソードたる電極層２６の第５エリア１５４と導通し、さらに第４溝１４３を介してさらに下層にある透明電極層２４の第３エリア１２４に導通している。
そのため電極（パネル側導電性部材）２９は、導体で透明電極層２４の第３エリア１２４と導通している。
そして透明電極層２４の第３エリア１２４の上層には、半導体層たる有機発光層２５の第５エリア１５４があり、さらにその上層には電極層２６の第４エリア１３８がある。即ち導体たる透明電極層２４の第３エリア１２４と、導体たる電極層２６の第４エリア１３８は、半導体たる有機発光層２５の第５エリア１５４を挟んで対峙している。
また有機発光層２５の第５エリア１５４は、透明電極層２４側から電極層２６側に向かってのみ通電する半導体である。
【００６５】
そして電極層２６の第４エリア１３８は、さらに有機発光層２５の第３溝１４２を介して、透明電極層２４の第２エリア１２３と導通し、発光領域Ｚに導通している。
従って、本実施形態では、電極（パネル側導電性部材）２９から発光領域Ｚの透明電極層２４（第２エリア１２３）に到る前に、半導体層（有機発光層２５の第５エリア１５４）を挟み、且つ半導体層（有機発光層２５の第５エリア１５４）は、電極（パネル側導電性部材）２８から発光領域Ｚの透明電極層２４（第２エリア１２３）に向かう方向にのみ通電を許す。
従って、有機発光層２５の第５エリア１５４は、前記した図１１のダイオード２０と同一の機能を果たす。
【００６６】
図１４は、図１２で示される基板１０のＢ−Ｂ断面図の縁の部位の拡大断面図であり、（ａ）は、各層の積層状態を示し、（ｂ）は、導体部分、半導体部分、及び絶縁体部分を塗り分けるとともに電流の流れを図示したものである。
基板１０をＢ−Ｂ断面で切断して観察した場合にも、図１４に示す様に、各層に複数の溝が設けられ、各層が分断されたり、上下の層が当該溝を介して接続されたりしている。
即ち透明電極層２４に図面左側から第１溝２２０、第２溝２２１、第３溝２２２、第４溝２２３が設けられ透明電極層２４が第１エリア２２５、第２エリア２２６、第３エリア２２７、第４エリア２２８、第５エリア２２９に分断されている。
【００６７】
また有機発光層２５とカソードたる電極層２６とを連通する連通溝２３０，２３１が２条設けられている。
連通溝２３０，２３１には、絶縁体たる封止部２７が進入している。そのため有機発光層２５とカソードたる電極層２６は、第１エリア２３５、第２エリア２３６、第３エリア２３７に分割されている。
【００６８】
さらに、有機発光層２５には、別途、第１溝２４０、第２溝２４１、第３溝２４２、第４溝２４３が形成されている。そして図面上層側のカソードたる電極層２６が前記溝２４０，２４１，２４２，２４３に進入し、有機発光層２５をスルーして電極層２６と透明電極層２４とが導通している。
有機発光層２５は、上記した各溝によって、第１エリア２７０から第５エリア２７４までのエリアに区分されている。
【００６９】
前記した様に、図１４に示す有機ＥＬ装置２２では、電極（パネル側導電性部材）２８，２９、透明電極層２４及び電極層２６が導体である。また封止部２７は絶縁体である。そして有機発光層２５は半導体であり、整流作用がある。
ここで有機ＥＬ装置２２の両端部（Ｙ，Ｗ部）に注目し、当該領域の導体、絶縁体、半導体の分布をハッチングで塗り分けると図１４（ｂ）の様である。
即ち電極（パネル側導電性部材）２８は、図面の左端部で下層のカソードたる電極層２６の第１エリア２３５と導通する。
そして電極層２６の第１エリア２３５の下層側には、半導体層たる有機発光層２５の第２エリア２７１があり、さらにその下層には、透明電極層２４の第２エリア２２６がある。
そのため導体たる透明電極層２４の第２エリア２２６と、導体たる電極層２６の第１エリア２３５は、半導体たる有機発光層２５の第２エリア２７１を挟んで対峙している。
また有機発光層２５の第２エリア２７１は、透明電極層２４側から電極層２６側に向かってのみ通電する半導体である。
【００７０】
そして透明電極層２４の第２エリア２２６は、さらに有機発光層２５の第２溝２４１を介して電極層２６の第２エリア２３６に至り、発光領域Ｚに導通している。
従って、本実施形態では、電極（パネル側導電性部材）２８から発光領域Ｚの電極層２６（第２エリア２３６）に到る前に、半導体層（有機発光層２５の第２エリア２７１）を挟み、且つ半導体層（有機発光層２５の第２エリア２７１）は、発光領域Ｚの透明電極層２４（第２エリア２２６）から電極（パネル側導電性部材）２８に向かう方向にのみ通電を許す。
従って、有機発光層２５の第２エリア２７１は、前記した図１１のダイオード１８と同一の機能を果たす。
【００７１】
同様に、図１４の右端部側に注目すると、電極（パネル側導電性部材）２９は、図面の右端部で下層のカソードたる電極層２６の第３エリア２３７と導通する。
そして電極層２６の第３エリア２３７の下層側には、半導体層たる有機発光層２５の第５エリア２７４があり、さらにその下層には、透明電極層２４の第４エリア２２８がある。
そのため導体たる透明電極層２４の第４エリア２２８と、導体たる電極層２６の第３エリア２３７は、半導体たる有機発光層２５の第５エリア２７４を挟んで対峙している。
また有機発光層２５の第５エリア２７４は、透明電極層２４側から電極層２６側に向かってのみ通電する半導体である。
【００７２】
そして透明電極層２４の第４エリア２２８は、さらに有機発光層２５の第３溝２４２を介して電極層２６の第２エリア２３６に至り、発光領域Ｚに導通している。
従って、本実施形態では、電極（パネル側導電性部材）２８から発光領域Ｚの電極層２６（第２エリア２３６）に到る前に、半導体層（有機発光層２５の第４エリア２７３）を挟み、且つ半導体層（有機発光層２５の第２エリア２７１）は、発光領域Ｚの透明電極層２４（第４エリア２２８）から電極（パネル側導電性部材）２９に向かう方向にのみ通電を許す。
従って、有機発光層２５の第６エリア２７５は、前記した図１１のダイオード１９と同一の機能を果たす。
【００７３】
この様にダイオード１７および２０は、図１３に示すような構造となる。同様に、ダイオード１８および１９は、図１４に示すような構造となる。
【００７４】
これらの関係をより簡単に説明すると、本実施形態では、領域Ｖにおいて、透明電極層２４に設けられた第１溝１２０が電極層分断部を構成し、電極層分断部を境として隣接する透明電極層２４の二つの領域たる第１エリア１２２と第２エリア１２３とが、有機発光層の一部たる第２エリア１３６と導通部たる第２溝１４１を経由して導通し、ダイオード形成部を構成している。
【００７５】
領域Ｖにおいては電極層２６の側から観察しても同様であり、電極層２６に設けられた第１溝１４０が電極層分断部を構成し、電極層分断部を境として隣接する電極層２６の二つの領域たる第１エリア１３５と第２エリア１３６とが、有機発光層の一部たる第２エリア１３６と導通部たる第１溝１４０を経由して導通し、ダイオード形成部を構成している。
これらの関係は、他の領域Ｘ，Ｗ，Ｙにも存在する。
【００７６】
前記した図１２の様に、ダイオード１７〜２０から成る全波整流回路９０は、有機ＥＬ装置２２の主要な発光領域Ｚ（常に発光する有機発光層２５）の周囲に配置することができる。
このように全波整流回路９０の構成要素であるダイオード１７〜２０の全てを、ＰＮ結合を備えた有機発光層２５を用いて形成することで、例えば、表面実装部品であるチップ形状のダイオードを搭載する必要がなくなる。その結果、有機ＥＬ装置２２をより薄型とすることができる。
【００７７】
なお、全波整流回路９０を成すダイオード１７〜２０は、各々逆止ダイオードとして機能するが、順方向に電圧が印加される場合には、発光に寄与する領域となる。そのため、図１２に示すように、有機ＥＬ装置２２において、ダイオード１７〜２０を成す領域Ｖ〜Ｙの面積は、中央に位置している主要な発光領域Ｚ（常に発光する有機発光層２５  主発光部）と、同程度とすることが好ましい。
【００７８】
さらに、有機ＥＬ装置２２において、順方向のみで発光する領域Ｖ，Ｗ（ダイオード１７，１８）と、逆方向のみで発光する領域Ｘ，Ｙ（ダイオード１９，２０）の色調を、主要な発光領域Ｚに対し短波長側と長波長側に割り振ることで、交流の波形により色調を制御可能となる。具体的には、中央に位置している主要な発光領域Ｚを白色に発光させ、順・逆方向のみで発光する領域Ｖ〜Ｙを各々青みがかった白色、赤みがかった白色とすることが好ましい。このように、主要な発光領域Ｚや順・逆方向のみで発光する領域Ｖ〜Ｙを、それぞれセルと呼ばれる小さな単位に分割し、各セルを横方向及び縦方向に直列接続することが好ましい。各セルが直列接続されたデバイスである有機ＥＬ装置２２では、例えば、ＡＣ１００Ｖ等の商用電源を印加することが可能となる。
【００７９】
つぎに、本発明の第２実施形態に係る発光システム２１の動作状態について、図１０を用いて説明する。
図１０に示すように、有機ＥＬ装置２２はガラス基板２３が上向きとなり、固定側壁面７に載置されている。発光システム２１では、図５に示した発光システム１と違い、有機ＥＬ装置２２が天地逆向きとなるように配置されている。この状態において、有機ＥＬ装置２２が有する電極２８，２９は、それぞれ固定側壁面７に埋設されている電極８，９と所定の間隔をあけて対峙している。有機ＥＬ装置２２側の電極２８と固定側壁面７側の電極８、及び有機ＥＬ装置２２側の電極２９と固定側壁面７側の電極９は、封止部２７及び床材の一部を挟んで対向配置されており、各電極間に静電容量が生じている。
【００８０】
つまり、電極２８，２９を有する有機ＥＬ装置２２と、電極８，９に接続された電源装置３とは、静電結合方法によって電気的に接続されている。その結果、電源装置３から供給した交流電流が透明電極層２４から電極層２６へと流れることで、有機ＥＬ装置２２のガラス基板２３から光が発散される。
【００８１】
また、図１０に示すように、有機ＥＬ装置２２が有する電極２８の大部分は、固定側壁面７側の電極８と重なる位置にある。同じく、有機ＥＬ装置２２が有する電極２９の大部分も固定側壁面７側の電極９と重なる位置にある。前述の通り、有機ＥＬ装置２２の電極２８，２９は、それぞれガラス基板２３の表面２３ａ上に大きな面積を確保しており、両者で表面２３ａ上の面積を略二分している。つまり、電極２８，２９の大部分は、それぞれ固定側壁面７側の電極８，９と重なっているため、第２実施形態に係る発光システム２１においても、第１実施形態に係る発光システム１と同様に、所望する電力量を電源装置３から有機ＥＬ装置２２へ供給することができる。そのため、有機ＥＬ装置２２についても、十分な輝度や光量を確保することができる。
【００８２】
上記の第１実施形態に係る発光システム１、並びに第２実施形態に係る発光システム２１では、有機ＥＬ装置２，２２が電極（パネル側導電性部材）１５，１６、並びに電極（パネル側導電性部材）２８，２９を備えた例を示した。即ち前記した第１実施形態では、有機ＥＬ装置２は、２枚の電極（パネル側導電性部材）１５，１６を持つ。同様に第２実施形態の有機ＥＬ装置２２でも、２枚の電極（パネル側導電性部材）２８，２９を持つ。この様に上記した第１，２実施形態ではいずれも２枚のパネル側導電性部材を持つものであったが、一枚のパネル側導電性部材だけで給電することも可能である。
即ち特許文献２（特表２００９−５３１００９号公報）に記載の電気エネルギー搬送装置を採用することにより、一枚のパネル側導電性部材で有機発光層１２に給電して発光させることが可能である。
【００８３】
図１５は、特許文献２に開示された電気エネルギー搬送装置４０の作動原理図である。
電気エネルギー搬送装置４０は、受動電極４２と能動電極４３間に位置する高圧高周波発生器（ＨＴＨＦ発生器）４１と、電極（起電電極）４６と電極（受動電極）４７間に位置する高インピーダンス負荷４５を有している。
【００８４】
高圧高周波発生器４１はエネルギー生成装置であり、高インピーダンス負荷４５はエネルギー消費装置である。高圧高周波発生器４１と高インピーダンス負荷４５とは、能動電極４３と電極４６とが対向する形で配されている。能動電極４３と電極４６間には容量結合が存在しており、これらの電極間に電位が発生する。その結果、能動電極４３と電極４６が位置している空間に、エネルギーが集中する強い場のゾーン４４が生成されることにより、高圧高周波発生器４１から高インピーダンス負荷４５へと、電気エネルギーが搬送される。
【００８５】
受動電極４２は大きいサイズの電極であり、能動電極４３は小さいサイズの電極である。受動電極４２は、アース（リザーバ電極）を用いてもよい。
また、電極４６は小さいサイズの電極であり、電極４７は大きいサイズの電極である。電極４７は、場が弱いゾーン中に置かれることが好ましい。
【００８６】
電気エネルギー搬送装置４０は、電気インフルエンスとも呼ばれるクーロン相互作用の利用に基づいたものであり、導体外部の誘電性媒質中で通常極端に小さいマクスウェルの変位電流を利用するために、急速な時間的変動を呈する強い電場を用いている。
なお、電気エネルギー搬送装置４０で利用される周波数は、電気エネルギーの搬送に通常に利用される周波数よりずっと高いが、電磁放射を無視できるのに十分低いままである。
【００８７】
電気エネルギー搬送装置４０は、二つの非対称な発振電気双極子間の相互作用を考慮することに帰している。そのような理由で、二つの電気双極子は、交流電流により貫通される二つの磁気自己インダクタンスの間で得られる相互作用に類似したやり方で相互に作用する。従って、電気エネルギー搬送装置４０は、インフルエンスについて、部分結合変圧器の同等物である。この結合は、変圧器の事例における透磁率の誘導性媒質の代わりに、誘電率の誘導性媒質を通って行われる。
【００８８】
図１６は、特許文献２に開示された電気エネルギー搬送装置４０を応用した本発明の第３実施形態に係る発光システム５１である。
図１６に示すように、発光システム５１は、有機ＥＬ装置５２と、固定側壁面５７から構成されている。固定側壁面５７は、床５６を構成するものである。
【００８９】
有機ＥＬ装置５２は、トップエミッション型の有機ＥＬ装置２とほぼ同様の構成であり、基板１０の上に、陰極（カソード）側の電極層１１と、機能層とも呼ばれる有機発光層１２と、陽極（アノード）側の透明電極層１３とが積層され、これらが透明の封止部１４によって封止されたものである。
なお、本実施形態では、有機ＥＬ装置５２内の陰極側の電極層１１が、パネル側導電性部材の機能を果たす。
また、有機ＥＬ装置５２には、半波整流回路が設けられており、固定側壁面５７から供給される交流電流を整流して使用する（電気回路図の図示は省略する）。
【００９０】
固定側壁面５７は、電気エネルギー搬送装置４０で用いられている高圧高周波発生器（ＨＴＨＦ発生器）４１が埋設されている。高圧高周波発生器４１の両端には、受動電極４２と能動電極４３が設けられている。
【００９１】
つぎに、本発明の第３実施形態に係る発光システム５１の動作について説明する。
有機ＥＬ装置５２は、基板１０を土台として、固定側壁面５７上に載置されている。この状態において、有機ＥＬ装置５２が有する電極層（パネル側導電性部材）１１は、固定側壁面７に埋設されている能動電極４３と所定の間隔をあけて対峙している。能動電極４３と電極層１１は、基板１０及び床材の一部を挟んで対向配置されており、各電極間に静電容量が生じている。
【００９２】
つまり、能動電極４３と電極層１１間には容量結合が存在している。この状態において、高圧高周波発生器４１から電気エネルギーを供給すると、特許文献２に開示された電気エネルギー搬送装置４０と同様に、能動電極４３と電極層１１との間に電位が生じる。
その結果、能動電極４３と電極層１１が位置している空間に、エネルギーが集中する強い場のゾーン５４が生成され、高圧高周波発生器４１から有機ＥＬ装置５２へと、電気エネルギーが搬送される。よって、有機ＥＬ装置５２の上面が発光する。
【００９３】
以上の通り、第３実施形態に係る発光システム５１において、特許文献２に開示された電気エネルギー搬送装置４０を応用したことにより、有機ＥＬ装置５２にパネル側導電性部材を備えなくても、非接触で電力供給ができる。
【００９４】
上記の第３実施形態に係る発光システム５１では、トップエミッション型の有機ＥＬ装置５２を採用する例を示したが、本発明はこれに限定されるものではない。ボトムエミッション型の有機ＥＬ装置を採用しても構わない。
【００９５】
図１７は、第４実施形態に係る発光システム６０の概念図であり、第３実施形態で採用するトップエミッション型の有機ＥＬ装置５２に代わってボトムエミッション型の有機ＥＬ装置６５を採用している。
有機ＥＬ装置６５は、ボトムエミッション型の有機ＥＬ装置２２とほぼ同様の構成であり、平面的な広がりを有するガラス基板２３（基材）の一方の面２３ａに、陽極（アノード）側の透明電極層２４と、機能層とも呼ばれる有機発光層２５と、陰極（カソード）側の電極層２６とが積層され、これらが封止部２７によって封止されたものである。
なお、本実施形態では、有機ＥＬ装置６５内の陰極側の電極層２６が、パネル側導電性部材の機能を果たす。
また、有機ＥＬ装置６５には、半波整流回路が設けられており、固定側壁面５７から供給される交流電流を整流して使用する（電気回路図の図示は省略する）。
【００９６】
また第３実施形態に係る発光システム５１及び第４実施形態に係る発光システム６０では、有機ＥＬ装置５２内の電極層１１又は２６にパネル側導電性部材の機能を持たせたが、パネル側導電性部材を別途設けてもよい。
【００９７】
図１８は、第３実施形態と同様にトップエミッション型の有機ＥＬ装置５２を採用する例であり、基板１０の外側に、別途、パネル側導電性部材６１を設けている。そして図示しない電力線によって、パネル側導電性部材６１と基板１０の内側とが接続されている。
また、有機ＥＬ装置５２には、半波整流回路が設けられており、固定側壁面５７から供給される交流電流を整流して使用する。
【００９８】
図１９は、第４実施形態と同様にボトムエミッション型の有機ＥＬ装置６５を採用する例であり、ガラス基板２３と対向する面に、別途、パネル側導電性部材６６を設けている。そして図示しない電力線によって、パネル側導電性部材６６とガラス基板２３の内側とが接続されている。
また、有機ＥＬ装置６５には、半波整流回路が設けられており、固定側壁面５７から供給される交流電流を整流して使用する。
【００９９】
図１６乃至図１９に示した実施形態は、特許文献２に開示された電気エネルギー搬送装置を応用したものであり、有機ＥＬ装置５２，６３の有機発光層２５等を高インピーダンス負荷４５とするものであるが、有機発光層２５とは別に高インピーダンス負荷を接続してもよい。
【０１００】
図２０は、半波整流回路の構成要素であるダイオード３７，３８と、別に設けたパネル側導電性部材６６を含めて、図４と同様の位置関係となるように図１９に示した有機ＥＬ装置６５を模式的に描写した断面概略図である。
図２１の断面図に示すように、半波整流回路を構成するダイオード３７，３８は、有機発光層２５を整流素子として用いて形成することもできる。
【０１０１】
上記した実施形態には、次の発明も開示されている。
（１）平面的な広がりを有する基材に、２層の電極層と、前記電極層に挟まれた有機発光層が積層され、少なくとも一方の平面が発光面となる有機ＥＬ装置において、基材に整流回路を構成する部材又は部位があることを特徴とする有機ＥＬ装置。
（２）平面的な広がりを有する基材に、２層の電極層と、前記電極層に挟まれたＰＮ結合を有する有機発光層が積層され、少なくとも一方の平面が発光面となる有機ＥＬ装置において、基材の面は主発光部とダイオード部に区分され、前記ダイオード部は前記有機発光層のＰＮ結合を利用して一方向にのみ通電を許容するものであり、前記ダイオード部が主発光部に接続されていることを特徴とする有機ＥＬ装置。
（３）上記した発明に従属する発明であり、４か所にダイオード部を有し、前記ダイオード部を含む全波整流回路が形成されていることを特徴とする有機ＥＬ装置。
（４）上記した発明に従属する発明であり、基板の中央部に主発光部があり、その周囲にダイオード部が形成されていることを特徴とする有機ＥＬ装置。
（５）上記した発明に従属する発明であり、少なくとも一方の電極層に、当該電極層を分断して絶縁する電極層分断部が設けられ、有機発光層には当該有機発光層を分断する有機発光層分断部が設けられ、有機発光層分断部に一方の電極層が進入して２層の電極層を導通する導通部が形成され、前記ダイオード部は、電極層分断部を境として隣接する二つの領域を、有機発光層の一部と導通部とを経由して導通するダイオード形成部を備えていることを特徴とする有機ＥＬ装置。
【符号の説明】
【０１０２】
１，２１，５１，６０      発光システム
２，２２，５２，６５  有機ＥＬ装置
６，５６      床面
７，５７      固定側壁面
８，９      電極（壁側導電性部材）
１０      基板（基材）
１１，２６      電極層（パネル側導電性部材）
１２，２５      有機発光層
１３，２４      透明電極層
１５，１６，２８，２９，６１，６６    電極（パネル側導電性部材）
２３      ガラス基板（基材）
１２０，１２１，２２０，２２１，２２２，２３３  電極層分断部
１３０，１３１，１３２，１３３，２３０，２３１  連通溝（電極層分断部）
１４０，１４１，１４２  有機発光層分断部
１４３，２４０，２４１，２４２，２４３  有機発光層分断部
Ｖ，Ｘ，Ｗ，Ｙ  ダイオード部たる領域
Ｚ  主発光部たる発光領域
【図１】
2013125435.tif 000003
【図２】
2013125435.tif 000004
【図３】
2013125435.tif 000005
【図４】
2013125435.tif 000006
【図５】
2013125435.tif 000007
【図６】
2013125435.tif 000008
【図７】
2013125435.tif 000009
【図８】
2013125435.tif 000010
【図９】
2013125435.tif 000011
【図１０】
2013125435.tif 000012
【図１１】
2013125435.tif 000013
【図１２】
2013125435.tif 000014
【図１３】
2013125435.tif 000015
【図１４】
2013125435.tif 000016
【図１５】
2013125435.tif 000017
【図１６】
2013125435.tif 000018
【図１７】
2013125435.tif 000019
【図１８】
2013125435.tif 000020
【図１９】
2013125435.tif 000021
【図２０】
2013125435.tif 000022
【図２１】
2013125435.tif 000023
【国際調査報告】
2013125435.tif 000024
2013125435.tif 000025
2013125435.tif 000026
2013125435.tif 000027